(57)【要約】【課題】カードの挿入時の案内と受容されたカードの係止固定とを可能にするとともに、カードの両側に係止固定のためのスペースを設けられない仕様に対応することができる最小の幅の、コンタクトの半田接続部を十分に保護することができる、カード接続構造及びそれに用いるカードコネクタを提供する。【解決手段】カード接続構造は、一端に接触パッド４１を有するカード４０と、カード４０の前記一端を受容するカードコネクタ１とからなっている。カード４０の他端には、回路基板にカード４０を固定する固定手段５０が設けられている。カードコネクタ１のハウジング１０の長手方向両側には、カード４０を案内する金属製の案内部材３０が設けられている。案内部材３０は、カード４０を案内する平板状の案内部３１と、ハウジング１０に固定される固定部３２と、案内部３１及び固定部３２の間に設けられ、回路基板に半田付けされる半田付け部３３とを具備している。【選択図】　　　図１
2004087177.tif 000002
【特許請求の範囲】
【請求項１】
一端に接触パッドを有するカードと、該カードの前記一端を受容するカードコネクタとからなり、該カードコネクタが、前記カードの一端を受容するハウジングと、該ハウジングに取り付けられ、前記カードの接触パッドに接触する接触部及び前記カードコネクタが実装される回路基板に半田接続される半田接続部を有するコンタクトとを備えたカード接続構造において、
前記カードの他端に、前記回路基板に前記カードを固定する固定手段を設け、
前記ハウジングの長手方向両側に、前記カードを案内する金属製の案内部材を設け、
該案内部材は、前記カードを案内する平板状の案内部と、前記ハウジングに固定される固定部と、前記案内部及び前記固定部の間に設けられ、前記回路基板に半田付けされる半田付け部とを具備することを特徴とするカード接続構造。
【請求項２】
一端に接触パッドを有するカードの前記一端を受容するカードコネクタであって、前記カードの一端を受容するハウジングと、該ハウジングに取り付けられ、前記カードの接触パッドに接触する接触部及び回路基板に半田接続される半田接続部を有するコンタクトとを備えたカードコネクタにおいて、
前記ハウジングの長手方向両側に、前記カードを案内する金属製の案内部材を設け、
該案内部材は、前記カードを案内する平板状の案内部と、前記ハウジングに固定される固定部と、前記案内部及び前記固定部の間に設けられ、前記回路基板に半田付けされる半田付け部とを具備することを特徴とするカードコネクタ。
【発明の詳細な説明】
【０００１】
【発明の属する技術分野】
本発明は、メモリモジュール等のカードと、このカードを受容するカードコネクタとからなり、カードコネクタに受容されたカードを回路基板に接続するためのカード接続構造及びそれに用いるカードコネクタに関する。
【０００２】
【従来の技術】
従来より、メモリモジュール等のカードを回路基板に接続する技術が知られている。両者の接続には、多くの場合カードコネクタが使用されている。
メモリモジュール等のカードを回路基板に接続するためのカードコネクタとして、例えば、図６に示すものが知られている（特開平９−８２４２９号公報参照）。
【０００３】
このカードコネクタ１００は、図６（Ａ）に示すように、カード受容凹部（図示せず）を有する絶縁性のハウジング１１０と、ハウジング１１０に２列状に取り付けられ、カード受容凹部に受容されたカードＣの接触パッド（図示せず）に接触する複数のコンタクト１２０と、ハウジング１１０の長手方向両側に取り付けられた１対の金属部材１３０とを具備している。各コンタクト１２０は、半田接続部１２１にて回路基板（図示せず）上に半田接続されている。また、各金属部材１３０は、カード受容凹部に受容されたカードＣを係止固定するラッチ部１３１と、回路基板への半田固定部１３２とを有している。半田固定部１３２は、回路基板上に半田付けされてコンタクト１２０の半田接続部１２１を保護するようになっている。
【０００４】
ここで、カードＣは、図６（Ｂ）に示すように、カードコネクタ１００のカード受容凹部に斜めに挿入された後、図中の矢印Ａ方向に回転され、カードＣと回路基板とが平行になった状態でカードＣがラッチ部１３１に係止されてカードＣの上方への移動及びカードＣの後方（カードＣがカードコネクタから抜ける方向）への移動が規制されるようになっている。
【０００５】
そして、カードＣがカード受容凹部に受容されると、各コンタクト１２０がカードＣの接触パッドに接触し、カードＣがコンタクト１２０を介して回路基板に電気的に接続されるようになっている。
【０００６】
【発明が解決しようとする課題】
しかしながら、図６に示したカードコネクタ１００にあっては、以下の問題点があった。
即ち、金属部材１３０によりカードＣの挿入時の案内とカード受容凹部に受容されたカードＣの係止固定とが可能となるが、金属部材１３０をカードＣの両側に位置するように配置してあるため、カードＣの両側に係止固定のためのスペースが設けられない仕様に対応することができないという問題点があった。
【０００７】
また、金属部材１３０に設けられた半田固定部１３２がコンタクト１２０の半田接続部１２１とかけ離れた位置にあるため、半田固定部１３２とコンタクト１２０の半田接続部１２１との間のスパンが長く、コンタクト１２０の半田接続部１２１を十分に保護することができないという問題点もあった。
従って、本発明は上述の問題点に鑑みてなされたものであり、その目的は、カードの挿入時の案内と受容されたカードの係止固定とを可能にするとともに、カードの両側に係止固定のためのスペースを設けられない仕様に対応することができる最小の幅の、コンタクトの半田接続部を十分に保護することができる、カード接続構造及びそれに用いるカードコネクタを提供することにある。
【０００８】
【課題を解決するための手段】
上記問題を解決するため、本発明のうち請求項１に係るカード接続構造は、一端に接触パッドを有するカードと、該カードの前記一端を受容するカードコネクタとからなり、該カードコネクタが、前記カードの一端を受容するハウジングと、該ハウジングに取り付けられ、前記カードの接触パッドに接触する接触部及び前記カードコネクタが実装される回路基板に半田接続される半田接続部を有するコンタクトとを備えたカード接続構造において、前記カードの他端に、前記回路基板に前記カードを固定する固定手段を設け、前記ハウジングの長手方向両側に、前記カードを案内する金属製の案内部材を設け、該案内部材は、前記カードを案内する平板状の案内部と、前記ハウジングに固定される固定部と、前記案内部及び前記固定部の間に設けられ、前記回路基板に半田付けされる半田付け部とを具備することを特徴としている。
【０００９】
このカード接続構造によれば、カードをカードコネクタに挿入する際に、ハウジングの長手方向両端に設けられた金属製の案内部材によりカードを案内する。従って、カードの傾斜挿入を防止することができる。そして、カードコネクタに受容されたカードは、固定手段により回路基板に固定される。従って、カードの係止固定が可能となる。また、カードの回路基板への固定は、カードの他端に設けられた固定手段によって行われ、案内部材は平板状の案内部でカードを案内するようになっているので、カードの両側に係止固定のためのスペースを設けられない仕様に対応することができる最小の幅のカード接続構造を得ることができる。さらに、案内部材に設けられた半田付け部を回路基板に半田付けすることで、案内部材を含むカードコネクタが回路基板上に固定され、回路基板上に半田接続されるコンタクの半田接続部へ過大な負荷がかかることが阻止される。ここで、半田付け部は、カードを案内する平板状の案内部とハウジングに固定される固定部との間に設けられているので、半田付け部と各コンタクトの半田接続部との間のスパンが短く、各コンタクトの半田接続部を十分に保護することができる。
【００１０】
また、本発明のうち請求項２に係るカードコネクタは、一端に接触パッドを有するカードの前記一端を受容するカードコネクタであって、前記カードの一端を受容するハウジングと、該ハウジングに取り付けられ、前記カードの接触パッドに接触する接触部及び回路基板に半田接続される半田接続部を有するコンタクトとを備えたカードコネクタにおいて、前記ハウジングの長手方向両側に、前記カードを案内する案内部材を設け、該案内部材は、前記カードを案内する平板状の案内部と、前記ハウジングに固定される固定部と、前記案内部及び前記固定部の間に設けられ、前記回路基板に半田付けされる半田付け部とを具備することを特徴としている。
【００１１】
このカードコネクタによれば、請求項１に記載したカード接続構造に好適なカードコネクタを提供することができる。
【００１２】
【発明の実施の形態】
次に本発明の実施形態を図面を参照して説明する。図１は本発明に係るカード接続構造の一実施形態の平面図である。図２は図１のカード接続構造に用いるカードコネクタを示し、（Ａ）は平面図、（Ｂ）は正面図、（Ｃ）は右側面図である。図３はカードコネクタにカードを挿入する方法を説明するための側断面図である。図４はカードコネクタにカードを挿入する途中の状態の平面図である。図５は案内部材のないカードコネクタにカードを挿入する途中の状態の平面図である。
【００１３】
図１に示すように、カード接続構造は、一端に複数の接触パッド４１を有するカード４０と、回路基板（図示せず）上に実装され、カード４０の前記一端を受容するカードコネクタ１とからなっている。
ここで、カードコネクタ１は、図２に示すように、長手方向（図２（Ａ）における左右方向）に延びる絶縁性のハウジング１０と、ハウジング１０に２列状に取り付けられた複数のコンタクト２０，２１と、ハウジング１０の長手方向両側に設けられた１対の金属製の案内部材３０とを具備している。
【００１４】
ハウジング１０は、図３に最もよく示すように、ハウジング１０の前側（図３における左側）に開いた、カード４０の一端を受容する長手方向に延びるカード受容凹部１１を有している。そして、ハウジング１０の長手方向両端には、図２に示すように、案内部材３０を固定するための１対の案内部材固定部１２が設けられ、各案内部材固定部１２には、案内部材３０の圧入固定用凹部１３が形成されている。この圧入固定用凹部１３は、図２（Ｃ）に示すように、案内部材固定部１２の後面から前方に向けて延びるとともに下面に開いた矩形状のスリット１３ａと、この矩形状のスリット１３ａから前方に延びる、スリット１３ａよりも上下方向の幅が狭く延長方向の長さが長い矩形状のスリット１３ｂとを備えている。また、各案内部材固定部１２には、圧入固定用凹部１３のスリット１３ａの下端から案内部材固定部１２の両外側面に向けて延びる半田付け部用凹部１５が形成されている。また、ハウジング１０のカード受容凹部１１の前側であって上方から見て長手方向中心よりやや左側には、カード４０の逆差しを防止するための突部１４が形成されている。ハウジング１０は、絶縁性の合成樹脂を成形することによって形成される。
【００１５】
また、２列状のコンタクト２０，２１は、図２及び図３に示すように、ハウジング１０の後方側からハウジング１０に圧入固定される後方側コンタクト２０と、ハウジング１０の前方側からハウジング１０に圧入固定される前方側ンタクト２１とで構成されている。後方側コンタクト２０と前方側コンタクト２１とは、長手方向に沿って互い違いに千鳥配列されている。ここで、２列状のコンタクト２０，２１のうち後方側コンタクト２０は、図３に最もよく示すように、ハウジング１０の後方側から圧入固定される固定部２０ａと、固定部２０ａからカード受容凹部１１内に向けて延びてカード４０上面の接触パッド４１に弾性的に接触する接触部２０ｂと、固定部２０ａから後方にハウジング１０の後側に向けて延びる半田接続部２０ｃとを具備している。この半田接続部２０ｃは、カードコネクタ１が実装される回路基板上の接触パッド（図示せず）に半田接続される。一方、前方側コンタクト２１は、ハウジング１０の前方側から圧入固定される固定部２１ａと、固定部２０ａからカード受容凹部１１内に向けて延びてカード４０下面の接触パッド４１に弾性的に接触する接触部２１ｂと、固定部２１ａから前方にハウジング１０の前側に向けて延びる半田接続部２１ｃとを具備している。半田接続部２１ｃは、カードコネクタ１が実装される回路基板上の接触パッド（図示せず）に半田接続される。後方側コンタクト２０及び前方側コンタクト２１は、金属板を打抜き加工することによって形成される。
【００１６】
また、ハウジング１０の長手方向両側に設けられた１対の案内部材３０は、長手方向中心に対して対称形状をなしている。そして、各案内部材３０は、カード４０を案内する平板状の案内部３１と、ハウジング１０の案内部材固定部１２に固定される固定部３２と、案内部３１及び固定部３２の間に設けられ、回路基板に半田付けされる半田付け部３３とを具備している。各案内部材３０は、金属板を打抜き及び曲げ加工することによって形成される。案内部３１は、案内部材３０がハウジング１０に取り付けられた状態で、ハウジング１０の長手方向側面に沿って前方に延びる略矩形形状を有する。案内部３１の前端は、ハウジング１０の前端よりもやや前方に突出している。また、固定部３２は、ハウジング１０の後方から圧入固定用凹部１３のスリット１３ａ内に挿入される矩形状の基部３２ａと、基部３２ａから前方に延びるとともに上縁にバーブ（逆とげ）３２ｃを有して圧入固定用凹部１３のスリット１３ｂに圧入固定される圧入固定部３２ｂとを備えている。さらに、半田付け部３３は、基部３２ａの下端から基部３２ａと略同一幅で外側に延びて案内部３１の下端に連結されている。この半田付け部３３は、案内部材３０がハウジング１０に取り付けられた状態で、案内部材固定部１２の半田付け部用凹部１５に位置し、半田付け部３３の下面が回路基板上に半田接続されるようになっている。半田付け部３３を回路基板上に半田付けすると、案内部材３０を含むカードコネクタ１が回路基板上に固定され、回路基板上に半田接続されるコンタクト２０、２１の半田接続部２０ｂ、２１ｂへ過大な負荷がかかることが阻止される。
【００１７】
さらに、カード４０は、図４に最もよく示すように、ハウジング１０の長手方向両側に設けられた案内部材３０の案内部３１に案内されるような幅を有する略平板状の形状を有し、一端の上面及び下面に複数の接触パッド４１を有している。そして、カード４０の前記一端の上方から見て長手方向中心よりやや左側には、カード４０の一端をカード受容凹部１１内に挿入する際に、ハウジング１０に形成された突部１４が入り込む切欠４２が形成されている。また、カード４０の前記一端とは反対側の他端には、図１に示すねじ部材５０のねじ部（図示せず）が挿通される複数（本実施形態にあっては２個）の貫通孔４３が形成されている。ねじ部材５０は、カードコネクタ１に受容されたカード４０を回路基板に固定する請求項１及び２に規定した固定手段を構成する。
【００１８】
次に、カード４０の回路基板への接続方法を、図３、図４、及び図１を参照して説明する。
回路基板上にカードコネクタ１を実装した状態で、先ず、図３に示すように、カード４０を斜めにして矢印Ｘ方向に進行させてカード４０の一端をハウジング１０のカード受容凹部１１内に挿入する。これにより、後方側コンタクト２０の接触部２０ｂはカード４０の上面に形成された接触パッド４１に接触し、前方側コンタクト２１の接触部２１ｂはカード４０の下面に形成された接触パッド４１に接触し、カード４０と回路基板とが電気的に接続される。このカード４０の挿入の際には、ハウジング１０に形成された突部１４がカード４０に形成された切欠４２に入り込む。カード４０の挿入の際に、カード４０を上下面逆さまにして挿入すると、突部１４及び切欠４２は長手方向の中心から位置ずれして形成されているため、突部１４が切欠４２に入り込まず、カード４０の逆差しが防止される。
【００１９】
このようにカード４０の一端をカード受容凹部１１内に挿入する際には、図４に示すように、ハウジング１０の長手方向両側に設けられた案内部材３０の案内部３１によりカード４０の両側面が案内される。このため、カード４０の傾斜挿入を防止することができる。
そして、カード４０の一端をカード受容凹部１１内に挿入した後、図３の矢印Ｙ方向にカード４０をカード４０が回路基板と略平行になるまで回転させる。その後、カード４０の他端に形成した貫通孔４３に図１に示すようにねじ部材５０のねじ部を挿通してカード４０を回路基板に固定する。これにより、カード４０の回路基板への接続が完了する。
【００２０】
このカード４０を回路基板に固定する際には、案内部材３０によりカード４０の傾斜挿入が防止されているので、図５に示すように、カードコネクタ１に対してカード４０が傾斜しない。このため、各コンタクト２０、２１の接触部２０ｂ、２１ｂに損傷を与えることが回避でき、各接触部２０ｂ、２１ｂを保護することができる。
【００２１】
また、カード４０の回路基板への固定は、カード４０の他端に設けられたねじ部材５０（固定手段）によって行われ、案内部材３０は平板状の案内部３１でカード４０を案内するようになっているので、カード４０の両側に係止固定のためのスペースを設けられない仕様に対応することができる最小の幅のカード接続構造を得ることができる。
【００２２】
さらに、案内部材３０に設けられた半田付け部３３を回路基板に半田付けすることで、案内部材３０を含むカードコネクタ１が回路基板上に固定され、回路基板上に半田接続されるコンタクト２０、２１の半田接続部２０ｃ、２１ｃへ過大な負荷がかかることが阻止される。ここで、半田付け部３３は、カード４０を案内する平板状の案内部３１とハウジング１０に固定される固定部３２との間に設けられているので、半田付け部３３と各コンタクト２０、２１の半田接続部２０ｃ、２１ｃとの間のスパンが短く、各コンタクト２０、２１の半田接続部２０ｃ、２１ｃを十分に保護することができる。
【００２３】
以上、本発明の実施形態について説明してきたが、本発明はこれに限定されず、種々の変更、改良を行うことができる。
例えば、固定手段は、カードコネクタ１に受容されたカード４０を回路基板に固定できるものであれば、ねじ部材５０に限られない。
【００２４】
【発明の効果】
以上説明したように、本発明のうち請求項１に係るカード接続構造によれば、一端に接触パッドを有するカードの他端に、回路基板にカードを固定する固定手段を設けたので、カードの係止固定を行うことができる。また、ハウジングの長手方向両側に、カードを案内する金属製の案内部材を設けたので、カードをカードコネクタに挿入する際に、案内部材によりカードを案内し、カードの傾斜挿入を防止することができ、カードコネクタのコンタクトの接触部を保護することができる。そして、カードの回路基板への固定は、カードの他端に設けられた固定手段によって行われ、案内部材は平板状の案内部でカードを案内するようになっているので、カードの両側に係止固定のためのスペースを設けられない仕様に対応することができる最小の幅のカード接続構造を得ることができる。さらに、案内部材に設けられた半田付け部を回路基板に半田付けすることで、案内部材を含むカードコネクタが回路基板上に固定され、回路基板上に半田接続されるコンタクの半田接続部へ過大な負荷がかかることが阻止される。ここで、半田付け部は、カードを案内する平板状の案内部とハウジングに固定される固定部との間に設けられているので、半田付け部と各コンタクトの半田接続部との間のスパンが短く、各コンタクトの半田接続部を十分に保護することができる。
【００２５】
また、本発明のうち請求項２に係るカードコネクタによれば、ハウジングの長手方向両側に、カードを案内する案内部材を設け、該案内部材は、前記カードを案内する平板状の案内部と、前記ハウジングに固定される固定部と、前記案内部及び前記固定部の間に設けられ、前記回路基板に半田付けされる半田付け部とを具備するので、請求項１に記載したカード接続構造に好適なカードコネクタを提供することができる。
【図面の簡単な説明】
【図１】本発明に係るカード接続構造の一実施形態の平面図である。
【図２】図１のカード接続構造に用いるカードコネクタを示し、（Ａ）は平面図、（Ｂ）は正面図、（Ｃ）は右側面図である。
【図３】カードコネクタにカードを挿入する方法を説明するための側断面図である。
【図４】カードコネクタにカードを挿入する途中の状態の平面図である。
【図５】案内部材のないカードコネクタにカードを挿入する途中の状態の平面図である。
【図６】従来例のカードコネクタを示し、（Ａ）は平面図、（Ｂ）は挿入されるカードをともに示した右側面図である。
【符号の説明】
１　カードコネクタ
１０　ハウジング
２０，２１　コンタクト
２０ｂ，２１ｂ　接触部
２０ｃ，２１ｃ　半田接続部
３０　案内部材
３１　案内部
３２　固定部
３３　半田付け部
４０　カード
４１　接触パッド
５０　ねじ部材（固定手段）
【図１】
2004087177.tif 000003
【図２】
2004087177.tif 000004
【図３】
2004087177.tif 000005
【図４】
2004087177.tif 000006
【図５】
2004087177.tif 000007
【図６】
2004087177.tif 000008